(57)【要約】【課題】中腰腰掛け姿勢の半坐り体勢で足に負担を掛けず排便、排尿を可能とする腰掛可能な和式便器の提供。【解決手段】通常とは逆向きとなって和式便器Ｂの後方長底部３の両側縁枠４を跨いで金隠し２´トップに中腰半坐り体勢のまま排泄できるように、その高さで中腰姿勢となる膝丈程度まで、当該金隠し２´を立ち上げ、前記トップを平坦当座面２ａ´に形成するとともに、当該平坦当座面２ａ´内側縁部中央に肛門部が臨み便が付着しないように窪ませた凹欠部５を切欠してなる構成手段の採用。【選択図】図１
0003108130.tif 000002
【実用新案登録請求の範囲】
【請求項１】
和式便器において、
人が中腰となった姿勢でお尻が当る高さ迄金隠しトップ高さを立ち上げ、当該金隠しトップ内側縁部中央に肛門部が臨む凹欠部を切欠してなることを特徴とする腰掛可能な和式便器
【請求項２】
前記トップは、
お尻を当てて体重の一部を掛けれる平坦当座面に形成してなることを特徴とする前記請求項１に記載の腰掛可能な和式便器
【請求項３】
前記和式便器は、
セラミック、プラスチック、ガラス、ステンレススチールその他非腐蝕性金属のいずれか又はこれ等の組合せからなることを特徴とする前記請求項１又は２に記載の腰掛可能な和式便器
【考案の詳細な説明】
【技術分野】
【０００１】
本案は、和式便器の改良に関する。
【背景技術】
【０００２】
駅や列車内や高速道路でのサービスエリア内のトイレは和式便所が大半であり、図４に示すよう和式便器Ａは水溜り前方便壺部１を覆う金隠し２に向かって使用時に後方長底部３の縁枠４を跨いでしゃがむ姿勢が足に大きな負担を強いる為、足を怪我している人、関節痛を患っている人、足に障害のある人、老人にとっては苦手か誰かが支えてやらねばならない。
【考案の開示】
【考案が解決しようとする課題】
【０００３】
駅、列車、高速道路のサービスエリア等、パブリックスペースにおけるトイレは、不特定多数の人間が常時使用している。限られたスペースで、清潔かつ楽に使用できるのが理想だが、現況では、しゃがみこみ姿勢では足が痛い為不安定に動揺し位置が定まらないので床は浸水し、ゴミや生理用品が散乱し、便器は汚れている。定期的に清掃されていてもなぜか、尿が周囲にこぼれるためなのか、濡れていて気持ちが悪い。
【０００４】
高齢者に多い足の不自由な方々にとって、和式便器では足が痛み屈むのが辛く、洋式便器では他人のあとに使用するのは気持ちが悪く、また現状ではその絶対数も少ない。
和式便器だと前の人が使用したあと、ロータンクに洗浄水が十分溜まるまでには時間がかかるため、連続して次々にトイレを流せば詰りの元となる。洋式便器は価格が高く、和式便器を全部洋式に換えるには費用がかさむと思われる。
【０００５】
ここに於いて、本案の解決すべき主要な目的は、次の通りである。
即ち、本案の第１の目的は、使用に際し足に負担の掛からない腰掛可能な和式便器を提供せんとするものである。
【０００６】
本案の第２の目的は、汚れが少なく、清潔に使用出来る腰掛可能な和式便器を提供せんとするものである。
【０００７】
本案の第３の目的は、安価で洗浄水が少なくて済む腰掛可能な和式便器を提供せんとするものである。
【０００８】
本案の他の目的は、明細書、図面、特に、実用新案登録請求の範囲の記載から、自ずと明らかとなろう。
【課題を解決するための手段】
【０００９】
本案は、前記課題の解決に当たり、和式便器の金隠しをそのトップに腰掛けて排泄できるように、その高さは中腰姿勢となる膝丈程度、そのトップは平坦当座面に形成され、内側縁部中央に便が付着しないように窪ませた凹欠部形状に切欠する構成手段を講じている。
【００１０】
さらに、具体的詳細に述べると、当該課題の解決では、本案が次に示す新規な構成手段を採用することにより、前記目的を達成するようになされる。
【００１１】
即ち、本案の第１の特徴は、和式便器において、人が中腰となった姿勢でお尻が当る高さ迄金隠しトップ高さを立ち上げ、当該金隠しトップ内側縁部中央に肛門部が臨む凹欠部を切欠してなる構成採用にある。
【００１２】
本案の第２の特徴は、前記第１の特徴における前記トップが、お尻を当てて体重の一部を掛けれる平坦当座面に形成してなる構成採用にある。
【００１３】
本案の第３の特徴は、前記第１又は第２の特徴における前記和式便器が、セラミック、プラスチック、ガラス、ステンレススチールのいずれか又はこれ等の組合せからなる構成採用にある。
【考案の効果】
【００１４】
本案によれば、使用に当り和式便器に通常とは逆方向を向き、金隠しトップに平坦当座面上に、肛門部が凹欠部に臨むようお尻を寄り掛かるように当て、体重の一部を金隠しトップに預け、足への負担を軽減する。そのような安定した中腰の腰掛け態勢で排泄できるので、足腰が不自由でも比較的楽に使用出来るし位置が定まる。
【００１５】
しかも、安定姿勢の為、必ず便が水溜りの便壺部に真すぐに落ちるので汚れ難く、小水も後方長底部内に着水し床にこぼれず、清潔に使用出来る。通常の和式便器だと後方長底部に排便する為多量の洗浄水を勢い良く流して、便を金隠しに覆われた前方便壺部に流し入れる必要上、水量が嵩むが最初から水溜り便壺部内に排便されるので少しの水量で足り、ロータンク使用でも、次々と連続使用しても詰りを生じない。
【考案を実施するための最良の形態】
【００１６】
本案の最良の形態例を図面について説明する。
図１は本案の最良形態例を示す平面図、図２は本案の最良形態例を示す左側面図、図３は本案の最良形態例を示す正面図である。
【００１７】
本案の最良形態例の和式便器Ｂは、セラミック、プラスチック、ステンレススチールその他非腐蝕性金属のいずれか又はこれ等の組合せからなるもので、例えば大人の人が中腰となった腰掛け姿勢でお尻が当る高さにトップが持来するよう金隠し２´全体を高さ２５ｃｍ〜２７ｃｍ程度垂直に立ち上げるとともにトップ内側縁部中央に肛門部が臨む凹欠部５を切欠形成する。
図中図４の従来例と同一部分は同一符号を付した。
【００１８】
前記金隠し２´トップはお尻を当てて体重が幾分掛けられる平坦当座面２ａ´に形成してある。
この平坦当座面２ａ´はお尻を当てて寄り掛かれる程度の坐りを確保するものであり、平坦当座面２ａ´を広くとって坐りを良くし過ぎると全体重を後に掛けて着座姿勢となるので何かの拍子にひっくり返って後に倒れる危険性が増大し、危険とならない大きさが要求されある程度足にも体重が加わる必要性はある。
【００１９】
前記凹欠部５は、例えば湾状又は半円状に形成して肛門部が臨むお尻の坐りの位置決めの基準となる。
本案の最良形態例の仕様は、このような具体的実施態様を呈するので、使用に当り、通常とは逆方向を向き、後方長底部３の縁枠４を跨いで金隠し２´の平坦当座面２ａ´上に、軽く足を屈めながら、中腰状態となってお尻を当て、凹欠部５中心に肛門部を臨ますようにお尻位置を決めた安定腰掛姿勢をとってからその後排便、排尿の排泄を行う。
【００２０】
排便は、凹欠部５の中心通り道を経て金隠し２´に覆われた水溜り前方便壺部１内に確実に落下するし、排尿も、後方長底部３内にこれ又確実に着水する。従って便器Ｂ外側に零すことなく清潔に用を足すことが出来る。その間足は深く折曲げることなく体重の掛かりも半減し、我慢出来ない程の足の痛さも殆んどなく、長分間一定姿勢を安定に維持出来る。
【００２１】
用を済ませた後はお尻を軽く持ち上げ前屈み中腰状態で紙等を用いて後処理を済ませることが出来る。
又本案の最良形態例は通常の和式便器同様に前向き使用することが可能である。かくして本案は以上のような最良形態例に限定されず前記目的、効果を達成し得る範囲内で、自由な形態の設計変更は可能である。
【図面の簡単な説明】
【００２２】
【図１】本案の最良形態例を示す平面図である。
【図２】本案の最良形態例を示す左側面図である。
【図３】本案の最良形態例を示す正面図である。
【図４】従来例の斜面図である。
【符号の説明】
【００２３】
Ａ，Ｂ…和式便器
１…水溜り前方便壺部
２，２´…金隠し
２ａ´…平坦当座面
３…後方長底部
４…縁枠
５…凹欠部
【図１】
0003108130.tif 000003
【図２】
0003108130.tif 000004
【図３】
0003108130.tif 000005
【図４】
0003108130.tif 000006